【手続補正書】
【提出日】平成21年5月29日(2009.5.29)
【手続補正１】
【補正対象書類名】特許請求の範囲
【補正対象項目名】請求項４
【補正方法】変更
【補正の内容】
【請求項４】
マトリクス状に配列され、ゲートへの駆動信号を受けて導通状態が制御されるトランジスタを含む複数の画素回路と、
上記画素回路のマトリクス配列に対して列毎に配線され、輝度情報に応じたデータ信号が供給されるデータ線と、
上記画素回路を形成するトランジスタのゲートへの駆動信号を出力する第１、第２、第３、および第４のスキャナと、
同一行の複数の画素回路の上記トランジスタのゲートが共通に接続され上記第１から第４のスキャナによる駆動信号がそれぞれ伝搬される第１、第２、第３、および第４の駆動配線と、
第１、第２、第３、および第４の基準電位と、を有し、
上記画素回路は、
流れる電流によって輝度が変化する電気光学素子と、
上記第１および第２のノードと、
上記第１のノードと上記第２のノードとの間に接続された画素容量素子と、
ドレイン端とソース端子で電流供給ラインを形成し、上記第２のノードに接続されたゲートの電位に応じて上記電流供給ラインを流れる電流を制御する駆動トランジスタと、
第１の基準電位と上記駆動トランジスタのドレイン端に接続された第１のスイッチトランジスタと、
上記第１のノードと上記第３の基準電位間に接続された第２のスイッチトランジスタと、
上記第２のノードと第４の基準電位間に接続された第３のスイッチトランジスタと、
上記データ線と上記第２のノードとの間に接続された第４のスイッチトランジスタと、を有し、
上記第１の基準電位と第２の基準電位との間に、上記第１のスイッチ、上記駆動トランジスタの電流供給ライン、上記第１のノード、および上記電気光学素子が直列に接続され、
上記第１の駆動配線が上記第１のスイッチトランジスタのゲートに接続され、第２の駆動配線が上記第４のスイッチトランジスタのゲートに接続され、上記第３の駆動配線が上記第２のスイッチトランジスタのゲートに接続され、上記第４の駆動配線が上記第３のスイッチトランジスタのゲートに接続され、
上記第１から第４の駆動配線うちの少なくとも一つの駆動配線は、配線方向において複数に分割されている
表示装置。
【手続補正２】
【補正対象書類名】明細書
【補正対象項目名】００１４
【補正方法】変更
【補正の内容】
【００１４】
図３は、有機ＥＬ素子の電流−電圧（Ｉ−Ｖ）特性の経時変化を示す図である。図３において、実線で示す曲線が初期状態時の特性を示し、破線で示す曲線が経時変化後の特性を示している。
【手続補正３】
【補正対象書類名】明細書
【補正対象項目名】００２５
【補正方法】変更
【補正の内容】
【００２５】
ところが、図６に示すように、ライトスキャナの最終段のバッファ４０を通して、画素回路２ａ内のトランジスタ（ＴＦＴ）のゲートにパルス信号を印加している配線４１の配線抵抗ｒの影響により、パルスの遅延、トランジェントの変化が生じる。そのため、タイミングにずれが生じ、シェーディングやスジムラが発生する。
各画素回路２ａ内のトランジスタのゲートまでの配線抵抗は、スキャナから離れるほど増加する。
よって、パネルの両端を比較した場合、たとえば移動度補正期間に差が生じ、輝度の差が生じる。
また、最適な移動度補正期間からずれるため、移動度のばらつきを補正しきれない画素が出現し、すじとして視認されるという不利益があった。
【手続補正４】
【補正対象書類名】明細書
【補正対象項目名】００３３
【補正方法】変更
【補正の内容】
【００３３】
図７は、本発明の実施形態に係る画素回路を採用した有機ＥＬ表示装置の構成を示すブロック図である。
図８は、本実施形態に係る画素回路の具体的な構成を示す回路図である。
【手続補正５】
【補正対象書類名】明細書
【補正対象項目名】００３６
【補正方法】変更
【補正の内容】
【００３６】
画素回路１０１において、第１の基準電位（本実施形態では電源電位ＶCC）と第２の基準電位（本実施形態では接地電位ＧＮＤ）との間に、ＴＦＴ１１１、ドライブトランジスタとしてのＴＦＴ１１２、第１のノードＮＤ１１１、および発光素子（ＯＬＥＤ）１１６が直列に接続されている。具体的には、発光素子１１６のカソードが接地電位ＧＮＤに接続され、アノードが第１のノードＮＤ１１１に接続され、ＴＦＴ１１２のソースが第１のノードＮＤ１１１に接続され、ＴＦＴ１１２のドレインがＴＦＴ１１１のドレインに接続され、ＴＦＴ１１１のソースが電源電位ＶCCに接続されている。
そして、ＴＦＴ１１２のゲートが第２のノードＮＤ１１２に接続され、ＴＦＴ１１１のゲートが駆動線ＤＳＬに接続されている。
ＴＦＴ１１３のドレインが第１のノード１１１およびキャパシタＣ１１１の第１電極に接続され、ソースが固定電位ＶＳＳ２に接続され、ＴＦＴ１１３のゲートが第２のオートゼロ線ＡＺＬ２に接続されている。また、キャパシタＣ１１１の第２電極が第２のノードＮＤ１１２に接続されている。
データ線ＤＴＬと第２のノードＮＤ１１２との間にＴＦＴ１１４のソース・ドレインがそれぞれ接続されている。そして、ＴＦＴ１１４のゲートが走査線ＷＳＬに接続されている。
さらに、第２のノードＮＤ１１２と所定電位Ｖｓｓ１との間にＴＦＴ１１５のソース・ドレインがそれぞれ接続されている。そして、ＴＦＴ１１５のゲートが第１のオートゼロ線ＡＺＬ１に接続されている。
【手続補正６】
【補正対象書類名】明細書
【補正対象項目名】００４０
【補正方法】変更
【補正の内容】
【００４０】
図９の例は、ライトスキャナ１０４の最終段(出力段)のバッファ１０４１に接続される駆動配線２００を２０１と２０２の２つに分割した構成を有する。
この図９の例の場合、スキャナから離れている配線（遠い配線）につくゲート容量は１水平ラインの画素の１／２となることから、負荷が軽減される。
また、スキャナから遠いほうの配線２０２をスキャナより近いほうの配線とより線幅を太く形成することにより、抵抗差を軽減できる。
【手続補正７】
【補正対象書類名】明細書
【補正対象項目名】００４５
【補正方法】変更
【補正の内容】
【００４５】
次に、ＥＬ発光素子１１６の非発光期間において、図１１（Ｃ），（Ｄ）に示すように、オートゼロ線ＡＺＬ２への駆動信号ＡＺ２がハイレベルに保持された状態で、オートセロ線ＡＺＬ１への駆動信号ＡＺ１がハイレベルに設定される。これにより、第２のノードＮＤ１１２の電位はＶＳＳ１となる。
そして、オートゼロ線ＡＺＬ２への駆動信号ＡＺ２がローレベルに切り替えられた後、ドライブスキャナ１０５による駆動線ＤＳＬの駆動信号ＤＳが所定期間のみローレベルに切り替えられる。
これにより、ＴＦＴ１１３がオフし、ＴＦＴ１１５、ＴＦＴ１１２がオンすることにより、ＴＦＴ１１２，ＴＦＴ１１１の経路に電流が流れ、第１のノードの電位は上昇する。
そして、ドライブスキャナ１０５による駆動線ＤＳＬの駆動信号ＤＳがハイレベルに切り替えられ、駆動信号ＡＺ１がローレベルに切り替えられる。
以上の結果、ドライブトランジスタＴＦＴ１１２のしきい値Ｖｔｈ補正が行われ、第２のノードＮＤ１１２と第１のノードＮＤ１１１との電位差はＶｔｈとなる。
その状態で所定期間経過後にライトスキャナ１０４による走査線ＷＳＬへの駆動信号ＷＳが所定期間ローレベルに保持され、データ線よりデータをノードＮＤ１１２に書き込み、駆動信号ＷＳがハイレベルの期間にドライブスキャナ１０５による駆動線ＤＳＬの駆動信号ＤＳがハイレベルに切り替えられ、やがて駆動信号ＷＳがローレベルに切り替えられる。
このとき、ＴＦＴ１１２がオンし、そして、ＴＦＴ１１４がオフし、移動度の補正が行われる。
この場合、ＴＦＴ１１４がオフしており、ＴＦＴ１１２のゲートソース間電圧は一定であるので、ＴＦＴ１１２は一定電流ＩｄｓをＥＬ発光素子１１６に流す。これによって、第１のノードＮＤ１１１の電位はＥＬ発光素子１１６にＩｄｓという電流が流れる電圧Ｖｘまで上昇し、ＥＬ発光素子１１６は発光する。
ここで、本回路においてもＥＬ素子は発光時間が長くなるとその電流−電圧（Ｉ−Ｖ）特性は変化してしまう。そのため、第１のノードＮＤ１１１の電位も変化する。しかしながら、ＴＦＴ１１２のゲート・ソース間電圧Ｖｇｓは一定値に保たれているのでＥＬ発光素子１１７に流れる電流は変化しない。よって、ＥＬ発光素子１１６のＩ−Ｖ特性が劣化しても、一定電流Ｉｄｓが常に流れ続け、ＥＬ発光素子１１６の輝度が変化することはない。
【手続補正８】
【補正対象書類名】明細書
【補正対象項目名】００４７
【補正方法】変更
【補正の内容】
【００４７】
【図１】一般的な有機ＥＬ表示装置の構成を示すブロック図である。
【図２】図１の画素回路の一構成例を示す回路図である。
【図３】有機ＥＬ素子の電流−電圧（Ｉ−Ｖ）特性の経時変化を示す図である。
【図４】図２の回路のｐチャネルＴＦＴをｎチャネルＴＦＴに置き換えた画素回路を示す回路図である。
【図５】初期状態におけるドライブトランジスタとしてのＴＦＴとＥＬ素子の動作点を示す図である。
【図６】配線抵抗による不利益を説明するための図である。
【図７】本発明の実施形態に係る画素回路を採用した有機ＥＬ表示装置の構成を示すブロック図である。
【図８】本第実施形態に係る画素回路の具体的な構成を示す回路図である。
【図９】シェーディング、スジムラを改善するための第１の対策例を説明するための図である。
【図１０】シェーディング、スジムラを改善するための第２の対策例を説明するための図である。
【図１１】本実施形態の動作を説明するためのタイミングチャートである。